【手続補正書】
【提出日】平成19年11月15日(2007.11.15)
【手続補正１】
【補正対象書類名】明細書
【補正対象項目名】特許請求の範囲
【補正方法】変更
【補正の内容】
【特許請求の範囲】
【請求項１】  ポリオレフィンの芯と脂肪族ポリエステル配合物の鞘とからなる二成分バインダ繊維であって、前記脂肪族ポリエステル配合物が、
ａ．ポリブチレンサクシネート・ポリマー、ポリブチレンサクシネート・コ・アジペート・ポリマー、ポリカプロラクトン・ポリマー、このようなポリマーの混合物、又はこのようなポリマーの共重合体からなる群から選択され、約１０，０００から約２，０００，０００までの間の重量平均分子量を有し、前記脂肪族ポリエステル配合物中に、約４０重量パーセントから１００重量パーセントより少ない重量で存在している脂肪族ポリエステルポリマーと、
ｂ．炭素原子の総数が３０より少なく、前記脂肪族ポリエステル配合物中に、０重量パーセントより多く約３０重量パーセントまでの重量で存在している多カルボン酸と、
ｃ．０重量パーセントより多く約２５重量パーセントまでの重量において、親水性と親油性のバランス比が約１０から約４０までの間である湿潤剤と、
を含み、全ての重量パーセントは、前記脂肪族ポリエステル配合物中に存在している前記脂肪族ポリエステルポリマーと、前記多カルボン酸と、前記湿潤剤との総重量に基づいており、
前記脂肪族ポリエステル配合物が、温度約１７０℃、剪断速度約１０００毎秒において、約５パスカル秒から約２００パスカル秒までの間の見掛粘度値を有することを特徴とする二成分バインダ繊維。
【請求項２】  前記脂肪族ポリエステルポリマーが、ポリブチレンサクシネート・ポリマーであることを特徴とする請求項１に記載の二成分バインダ繊維。
【請求項３】  前記脂肪族ポリエステルポリマーが、ポリブチレンサクシネート・コ・アジペート・ポリマーであることを特徴とする請求項１に記載の二成分バインダ繊維。
【請求項４】  前記脂肪族ポリエステルポリマーが、ポリカプロラクトン・ポリマーであることを特徴とする請求項１に記載の二成分バインダ繊維。
【請求項５】  前記脂肪族ポリエステルポリマーが、前記脂肪族ポリエステル配合物中に、約５０重量パーセントから約９５重量パーセントまでの間の重量で存在していることを特徴とする請求項１に記載の二成分バインダ繊維。
【請求項６】  前記脂肪族ポリエステルポリマーが、前記脂肪族ポリエステル配合物中に、約６０重量パーセントから約９０重量パーセントまでの間の重量で存在していることを特徴とする請求項５に記載の二成分バインダ繊維。
【請求項７】  前記多カルボン酸が、コハク酸、グルタル酸、アジピン酸、ピメリン酸、スベリン酸、アゼライン酸、セバシン酸、及びこのような酸の混合物から構成される群から選択されることを特徴とする請求項１に記載の二成分バインダ繊維。
【請求項８】  前記多カルボン酸が、グルタル酸、アジピン酸及びスベリン酸から構成される群から選択されることを特徴とする請求項７に記載の二成分バインダ繊維。
【請求項９】  前記多カルボン酸が、脂肪族ポリエステル配合物中に、約１重量パーセントから約３０重量パーセントまでの間の重量で存在していることを特徴とする請求項１に記載の二成分バインダ繊維。
【請求項１０】  前記多カルボン酸が、脂肪族ポリエステル配合物中に、約５重量パーセントから約２５重量パーセントまでの間の重量で存在していることを特徴とする請求項９に記載の二成分バインダ繊維。
【請求項１１】  前記多カルボン酸における炭素原子の総量が、約４から約３０までの間であることを特徴とする請求項１に記載の二成分バインダ繊維。
【請求項１２】  前記湿潤剤における親水性と疎水性のバランス比が、約１０から約２０までの間であることを特徴とする請求項１に記載の二成分バインダ繊維。
【請求項１３】  前記湿潤剤が、前記脂肪族ポリエステル配合物中に、約０．５重量パーセントから約２０重量パーセントまでの間の重量で存在していることを特徴とする請求項１に記載の二成分バインダ繊維。
【請求項１４】  前記湿潤剤が、前記脂肪族ポリエステル配合物中に、約１重量パーセントから約１５重量パーセントまでの間の重量で存在していることを特徴とする請求項１に記載の二成分バインダ繊維。
【請求項１５】  前記湿潤剤が、エトキシル化アルコール、酸アミドエトキシレート及びエトキシル化アルキルフェノールからなる群から選択されることを特徴とする請求項１に記載の二成分バインダ繊維。
【請求項１６】  前記脂肪族ポリエステルポリマーが、前記脂肪族ポリエステル配合物中に、約５０重量パーセントから約９５重量パーセントまでの間の重量で存在し、前記多カルボン酸が、コハク酸、グルタル酸、アジピン酸、ピメリン酸、スベリン酸、アゼライン酸、セバシン酸、及びこのような酸の混合物から構成される群から選択され、前記脂肪族ポリエステル配合物中に、約１重量パーセントから約３０重量パーセントまでの間の重量で存在し、前記湿潤剤が、エトキシル化アルコール、酸アミドエトキシレート及びエトキシル化アルキルフェノールからなる群から選択され、前記脂肪族ポリエステル配合物中に、約０．５重量パーセントから約２０重量パーセントまでの間の重量で存在していることを特徴とする請求項１に記載の二成分バインダ繊維。
【請求項１７】  前記ポリオレフィンが、ポリエチレン、ポリプロピレン、ポリエチレン共重合体及びポリプロピレン共重合体からなる群から選択されることを特徴とする請求項１に記載の二成分バインダ繊維。
【請求項１８】  ポリオレフィンの芯と脂肪族ポリエステル配合物の鞘からなる二成分バインダ繊維であって、脂肪族ポリエステル配合物が、
ａ．ポリブチレンサクシネート・ポリマー、ポリブチレンサクシネート・コ・アジペート・ポリマー、ポリカプロラクトン・ポリマー、このようなポリマーの混合物、又はこのようなポリマーの共重合体からなる群から選択され、約１０，０００から約２，０００，０００までの間の重量平均分子量を有し、熱可塑性組成物中に、約４０重量パーセントから１００重量パーセントより少ない重量で存在している脂肪族ポリエステルポリマーと、
ｂ．炭素原子の総数が３０より少なく、前記熱可塑性組成物中に、０重量パーセント以上約３０重量パーセントまでの重量で存在している多カルボン酸と、
ｃ．０重量パーセントより多く約２５重量パーセントまでの重量において、親水性と親油性のバランス比が約１０から約４０までの間である湿潤剤と、
を含み、全ての重量パーセントは、前記熱可塑性組成物中に存在している前記脂肪族ポリエステルポリマーと、前記多カルボン酸と、前記湿潤剤との総重量に基づいており、
前記繊維が、約７０度より小さい前接触角値と、約６０度より小さい後接触角値を有することを特徴とする二成分バインダ繊維。
【請求項１９】  前記繊維が、約６５度より小さい前接触角値を有することを特徴とする請求項１８に記載の二成分バインダ繊維。
【請求項２０】  前記繊維が、約５５度より小さい後接触角値を有することを特徴とする請求項１８に記載の二成分バインダ繊維。
【請求項２１】  前記繊維が、約５０度より小さい後接触角値を有することを特徴とする請求項１８に記載の二成分バインダ繊維。
【請求項２２】  ポリオレフィンの芯と脂肪族ポリエステル配合物の鞘からなる二成分バインダ繊維。
【請求項２３】  ポリオレフィンの芯と脂肪族ポリエステル配合物の鞘からなり、前記脂肪族ポリエステル配合物が、温度約１７０℃、剪断速度約１０００毎秒において、約５パスカル秒から約２００パスカル秒までの間の見掛粘度値を有することを特徴とする二成分バインダ繊維。
【請求項２４】  ポリオレフィンの芯と脂肪族ポリエステル配合物の鞘からなり、前記繊維が、約７０度より小さい前接触角値と、約６０度より小さい後接触角値を有することを特徴とする二成分バインダ繊維。